(57)【要約】【課題】  上ベルト取付部やベルト取付金具の周辺で頭髪が挟み込まれることを防止して、しかも簡単な構造で費用も抑制可能なランドセルを提供すること。【解決手段】  上ベルト１４の取付側に伸縮性のある筒状カバー２を嵌挿し、筒状カバー２は少なくとも上ベルト取付部１４ａと、収容部背板１０に固定するベルト取付金具５のアーム６に連結するリング９と、ベルト取付金具５より外部に露出するアーム露出部６ｂとに被さり、頭髪が挟まったり絡まないようにしたことを特徴とする。【選択図】  図２
2006043031.tif 000002
【特許請求の範囲】
【請求項１】
上ベルト（１４）の取付側に伸縮性のある筒状カバー（２）を嵌挿し、筒状カバー（２）は少なくとも上ベルト取付部（１４ａ）と、本収容部背板（１０）の外面中央上部に固定するベルト取付金具（５）のアーム（６）に連結するリング（９）と、ベルト取付金具（５）より外部に露出するアーム露出部（６ｂ）とに被さり、頭髪の挟まりや絡まりを防ぎ得るようにしたことを特徴とするランドセル。
【発明の詳細な説明】
【技術分野】
【０００１】
本発明は、小学生が通学の際に使用するランドセルに関する。
【背景技術】
【０００２】
ランドセルは、背負いベルトに腕を通し、本収容部の背板を背中に密着させて装着するが、この背負いベルトは上ベルトと下ベルトから構成され、上ベルト取付部を背板外面の中央上部に固定したベルト取付金具に係止し、下ベルト取付部をランドセル底面に固定した下金具に係止している。
ランドセルは、小学校入学時から卒業までの六年間、不具合なく使用できるよう、設計や素材の選定には配慮が重ねられており、身体の成長にも追従できる構造になっている。即ち、図５と図６に示すように背負いベルト４の上ベルト１４と下ベルト２４とをバックルで長さ調整可能にするほか、上ベルト取付部１４ａをリング９を介してベルト取付金具５のアーム６に係留し、左右に揺動可能にする場合が多い。このような構造により、成長に連れて肩幅が大きくなっても、背負いベルト４の取付け位置を変更すことなく、無理なく体形に追従できる。
【０００３】
ベルト取付金具は図６の如く、金具前板５ａと金具後板５ｂとの間に、上部に入口７ａを有する空部７を備え、入口７ａから空部７内にアーム６の下部６ａを挿入し、アーム下部６ａを支点１６にて支承し、バネ８により中央に向くよう付勢され、支点１６を中心にして左右に揺動可能となり、入口７ａより上方にアーム露出部６ｂを露出し、該露出部６ｂの先に横筒６ｃを設け、横筒６ｃにリング９を挿入し、リング９に上ベルト取付部１４ａを接続している。
また、上ベルト取付部１４ａは、上ベルト１４の先部をリング９に通して折り返し、これを積層してリベット２０で固定しており、リベット２０止めする際、皿状のクルンチ２１を嵌め込んで固定している。
【発明の開示】
【発明が解決しようとする課題】
【０００４】
前記のように、上ベルト取付部を揺動可能にする構造は、その有益性から近年製造されるランドセルの多くに採用されている。しかしこれを実現するベルト取付金具は、ランドセルを背負った状態で首周辺に位置するため、頭髪が背中に到達するような児童においてランドセルを着脱したり、ランドセルを背負って歩行等すると、身体の動に応じてランドセルと頭髪が踊り、頭髪とベルト取付金具との接触が多くなる。その結果、頭髪がベルト取付金具の入口から空部内に挿入して挟み込まれたり、ベルト取付金具を構成しているアームやバネ等に絡まり、抜けなくなる場合があった。
こうなるとランドセルを外す際、頭髪が引き抜かれて痛い思いをするので何らかの改善策が必要である。また上ベルト取付部には、ベルト重合部を固定するリベットやクルンチ等があり、これらに頭髪が絡み付くこともあり得る。
【０００５】
これらの弊害を解決するため、一般の機械等に使用されているラバーブーツを流用することも考えられるが、美感が低下しやすく、またラバーブーツは形状が複雑で製造費用が高くなり、更に児童が故意に破損させる恐れもあり、より簡単な構造を用いることが望ましい。
【０００６】
頭髪の性質（硬い柔らかい、細い太い、ちじれ毛等）には個人差があり、何れの性質の頭髪がベルト取付金具等に挟まりやすいか、絡みやすいかは不明であるが、如何なる場合でも未然に防ぐ必要がある。
本発明はこうした実情を基に開発されたもので、安価で簡単な手段により、ベルト取付金具の周辺における頭髪の挟み込みや絡まりを防止し得るランドセルの提供を目的としている。
【特許文献１】特開２００３−２０４８１６号公報
【課題を解決するための手段】
【０００７】
前記の課題を解決する本発明のランドセルは、上ベルトの取付側に伸縮性のある筒状カバーを嵌挿し、筒状カバーは少なくとも上ベルト取付部と、本収容部背板の外面中央上部に固定するベルト取付金具のアームに連結するリングと、ベルト取付金具より外部に露出するアーム露出部とに被さり、頭髪の挟まりや絡まりを防ぎ得るようにしたことを特徴とする。
【０００８】
ここで上ベルト取付部とは、上ベルトの取付側をリングに通し、折り返して積層し、これを一体化するためリベットを打ち込み、クルンチで受け止めている部位を言う。
またベルト取付金具のアームは、露出部を外部に露出し、下部をベルト取付金具の入口から空部内に挿入して軸支し、支点を中心にして左右に揺動可能となる。
リングは略三角環を成し、その一辺部をアーム露出部に設けた横筒内に挿通し、他辺部に上ベルト取付部を係留し、前後に回動可能となる。従って、上ベルト取付部は、リングを介してベルト取付金具のアームに係留されていることになる。
【０００９】
ここで筒状カバーとは、上ベルト取付部、アーム露出部、アームと上ベルトを結ぶリングに被さり、これらを一括して覆い隠すものであり、このことによりベルト取付金具への頭髪の挟み込みや絡まりを防げぐと共に、上ベルト取付部に対する頭髪の挟み込みや絡まりも防ぐものである。また、筒状カバーは、ランドセル本体やベルト取付金具とは別途に製作し、上ベルトの先部から嵌挿して取付を行なう。
【００１０】
筒状カバーは、柔軟性に富み伸縮性のある筒状編物で、内部に空洞部を形成し、十分な伸縮性を発生できるよう、編成に工夫を凝らし、或いはゴム糸等を環状方向と軸方向に編成する。特に、ベルト取付金具への頭髪の挿入を防ぐため、筒状カバーにはある程度の厚みを持たせることが望ましく、したがって複数の編物を重ねたり、内部にスポンジ等の弾性部材を詰めることがある。
【００１１】
このように構成された筒状カバーは、リストバンドやサポーター等と似通った形態であるが、大きさは本発明の目的に合うよう調整する必要がある。つまり筒状カバーの空洞部に上ベルトを挿通させた場合、これを適度に締め付けようとする力が発生するような径として、また前記の箇所を確実に覆い隠せる長さが必要である。筒状カバーを最適な寸法にすることで、上ベルトに装着した後は、接着等を行なわなくても所定の場所から移動せず、しかも必要に応じて取り外しも可能である。
【００１２】
筒状カバーの空洞部に上ベルトの先部を差し込み、これを取付部側に向けて移動させ、最終的にはアーム露出部とリング、及びリベットを含む上ベルト取付部を覆い隠す。これによってベルト取付金具の入口とアームの隙間から空間に頭髪が挟み込まれたり、アームやバネ等に絡み付くこともなくなる。
尚、筒状カバーは、アーム露出部を取り囲んでいるが、ベルト取付金具の入口全部を覆い隠すことはできない。しかし、筒状カバーを肉厚にすることで、該カバーに触れる頭髪が外側に押しやられるため、入口への頭髪の挿入は阻止される。
【００１３】
筒状カバーはリストバンド状で問題はないが、伸縮性のある帯状体を編成し、その両端部に雌雄一対の面ファスナー等を備えてもよい。この場合は、上ベルト取付部からアーム露出部に跨って帯状体を巻き付け、最後に面ファスナーを接合して装着する。
【発明の効果】
【００１４】
本発明のランドセルは、上ベルト取付部とリングとアーム露出部とに筒状カバーを被せることで、ベルト取付金具の入口から空部内への頭髪の挿入を阻止したり、ベルト取付金具のアームやバネ等との絡み付きも防止できるばかりか、上ベルト取付部を固定しているリベットとクルンチに対する頭髪の挟み込みや絡み付きも防止できる。その結果、ランドセルを取り外す際、児童に痛い思いをさせることがない。
しかも本発明は、上ベルトに筒状カバーを挿通するだけの簡単な原理であるため、費用面での問題もない。そのほか筒状カバーは着脱自在であるから、汚れたら取外して洗濯することも容易であるし、色違いの筒状カバーを季節や気分に応じて交換できる。
【発明を実施するための最良の形態】
【００１５】
本発明のランドセルに用いる筒状カバーの最良形態を図１に基づき説明すると、筒状カバー２は綿糸とゴム糸とから編成した手触りの良い円筒状編物であり、背負いベルト４の上ベルト１４を通すための空洞部３を有し、厚みが５ｍｍ程度あり、無負荷状態では、長さ約５ｃｍ、直径約２ｃｍである。但し、外力を加えると、倍程度までは容易に引き伸ばすことができ、しかも外力を取り除くと元の形状に戻る。
【００１６】
ランドセル１は本収容部背板１０の外面中央上部にベルト取付金具５を取付け、ベルト取付金具５は背板１０に固定する金具後板５ｂと、該後板５ｂに取付ける金具前板５ａとを備え、前後板５ａ，５ｂ間に、上部に入口７ａを有する空部７を備え、入口７ａから空部７内にアーム６の下部６ａを挿入し、アーム下部６ａを支点１６にて前後板５ａ，５ｂに軸支する一方、空部７の入口７ａより外部に露出するアーム露出部６ｂの先に横筒６ｃを設け、アーム６が支点１６を中心にして左右に揺動可能となり、バネ８により中央に向くよう付勢され、横筒６ｃにリング９を挿通し、リング９に上ベルト１４を係留している。
【００１７】
リング９は略三角環を成し、その一辺をアーム露出部６ｂの横筒６ｃに相通し、他辺に上ベルト取付部１４ａを係留している。
上ベルト１４は、取付側端部をリング９に通し、折り返して重ね、その重合部をリベット２０とクルンチ２１を用いて固定している。
【００１８】
筒状カバー２を背負いベルト４の上ベルト１４に装着する場合、上ベルト１４の先部側から上ベルト取付部１４ａに向けて嵌挿し、更にリング９とアーム露出部６ｂが隠れるまで嵌挿しておく。このことにより、図３の如く上ベルト取付部１４ａとリング９とアーム露出部６ｂとが覆い隠され、ベルト取付金具５の入口７ａの一部も隠れる。
尚、上ベルト１４のベルト幅は、全長の中間部で広幅となるが、筒状カバー２を装着する際、最広幅の箇所でも問題なく通過できる必要があり、また正しく装着された後も、緩むことなく確実に締め付けができる必要がある。
従って、カバー２の大きさは、これらに配慮した最適な大きさにすべきで、専用品を用いるべきである。
【００１９】
筒状カバー２を図２の如く所定の位置まで嵌挿すると、筒状カバー２は、リベット２０を含む上ベルト取付部１４ａからアーム露出部６ｂまでを覆い隠しており、その結果、アーム６とベルト取付金具７や、リベット２０等に頭髪が挟み込まれることを防止できる。
頭髪が挟まったり絡まったりする部位は、ベルト取付金具５を構成しているアーム６と支点１６とバネ８、上ベルト取付部１４ａを固定しているリベット２０とクルンチ２１の外、アーム横筒６ｃとこれに挿通しているリング９との間、上ベルト取付部１４ａとこれに挿通しているリング９との間等も想定し得る。
【００２０】
本発明のランドセルに用いる筒状カバーの他の実施例を示すと、図４の如く帯状体１２の両端部１２ａ，１２ｂに雌雄一対の面ファスナー１３ａ，１３ｂを取付け、面ファスナー１３ａ，１３ｂを貼り合わせて空洞部３を持つ筒状カバー２と成すものである。
帯状体１２は、前記筒状カバー２と同様に、素材に伸縮性を持たせておき、面ファスナー１３ａ，１３ｂはある程度のせん断力にも耐えられる強さを要し、面ファスナー１３ａ，１３ｂを貼り合わせる際、内側に隠し、頭髪が絡み付かないよう配慮を要する。
【図面の簡単な説明】
【００２１】
【図１】本発明のランドセルに用いる筒状カバーの最良な形態を示す斜視図である。
【図２】筒状カバーの装着状態を示すランドセルの斜視図である。
【図３】筒状カバーの装着状態を示す拡大図である。
【図４】帯状体の実施例を示すもので、両端部に面ファスナーを備え、これを貼り合わせて筒状カバーと成すものである。
【図５】従来ランドセルにおけるベルト取付金具と上ベルト取付部の関係を示す要部構造図である。
【図６】従来ベルト取付金具の内部構造を示す一部切欠正面図である。
【符号の説明】
【００２２】
１  ランドセル
２  筒状カバー、１２  帯状体、１２ａ、１２ｂ  端部
３  空洞部、１３ａ，１３ｂ  面ファスナー
４  背負いベルト、１４  上ベルト、２４  下ベルト、１４ａ  上ベルト取付部
５  ベルト取付金具、５ａ  金具前板、５ｂ  金具後板
６  アーム、６ａ  アーム下部、６ｂ  アーム露出部、６ｃ  横筒、１６  支点
７  空部、７ａ  入口
８  バネ
９  リング
１０  背板
２０  リベット
２１  クルンチ
【図１】
2006043031.tif 000003
【図２】
2006043031.tif 000004
【図３】
2006043031.tif 000005
【図４】
2006043031.tif 000006
【図５】
2006043031.tif 000007
【図６】
2006043031.tif 000008